(57)【要約】【課題】高齢者が多くなり、金融機関に現金をおろしに行く事は大変な労力と危険がともなうので、なるべく人件費などの費用をかけずに高齢者等に現金宅配をする。【解決の手段】ＧＰＳと無線通信機を利用して随時全現金宅配車の位置を指令センターのホストコンピュータに自動入力し、指令センターのホストコンピュータがＧＰＳと無線通信機を利用して、最も宅配効率の良い宅配計画を全現金宅配車のコンピュータの端末に指令する。【選択図】　　図１
2004021961.tif 000002
【特許請求の範囲】
【請求項１】
全現金宅配車にＧＰＳ受信機及び無線通信機及び指令センターのホストコンピュータの端末機を取り付け、全現金宅配車に取り付けた無線通信機と通信できる無線通信機を指令センターのホストコンピュータに取り付け、ＧＰＳ衛星及びＧＰＳ受信機及び無線通信機を利用して随時現金宅配中の全現金宅配車の走行記録を天気及び日時及び曜日及び祝祭日及び祝祭日前日の条件別に走行可能速度を指令センターのホストコンピュータに路線別に常時自動入力し、指令センターのホストコンピュータと気象情報配信機関のコンピュータ及び交通情報配信機関のコンピュータを接続して、気象情報配信機関のコンピュータより指令センターのホストコンピュータが気象情報を入力し、交通情報配信機関のコンピュータより指令センターのホストコンピュータが交通情報を入力し、指令センターのホストコンピュータが過去の現金宅配車の走行記録と気象情報及び交通情報より条件に合う予定走行可能速度を提示し、指令センターのホストコンピュータが提示した予定走行可能速度に現金宅配車の現在地から宅配先までの路面走行距離を掛けて予定宅配走行時間を計算し、指令センターのホストコンピュータが全現金宅配車の中から最も早く現金宅配できる現金宅配車を選び出し、指令センターのホストコンピュータが選び出した現金宅配車のホストコンピュータの端末機に宅配指令する、以上のことを特徴とする現金宅配システム。
【請求項２】
全現金宅配車にＧＰＳ受信機及び無線通信機及び指令センターのホストコンピュータの端末機を取り付け、全現金宅配車に取り付けた無線通信機と通信できる無線通信機を指令センターのホストコンピュータに取り付け、ＧＰＳ衛星及びＧＰＳ受信機及び無線通信機を利用して随時現金宅配中の全現金宅配車の走行記録を天気及び日時及び曜日及び祝祭日及び祝祭日前日の条件別に走行可能速度を指令センターのホストコンピュータに路線別に常時自動入力し、指令センターのホストコンピュータと気象情報配信機関のコンピュータ及び交通情報配信機関のコンピュータを接続して、気象情報配信機関のコンピュータより指令センターのホストコンピュータが気象情報を入力し、交通情報配信機関のコンピュータより指令センターのホストコンピュータが交通情報を入力し、指令センターのホストコンピュータが過去の現金宅配車の走行記録と気象情報及び交通情報より条件に合う予定走行可能速度を提示し、指令センターのホストコンピュータが提示した予定走行可能速度に現金宅配車の現在地から宅配先までの路面走行距離を掛けて予定宅配走行時間を計算し、指令センターのホストコンピュータが全未宅配現金の宅配先及び宅配中の全現金宅配車の位置を確認し、指令センターのホストコンピュータが提示した予定走行可能速度に現金宅配車の現在地から第一目的地の到着までの路面走行距離を掛けて予定宅配走行時間を計算し、指令センターのホストコンピュータが提示した予定走行可能速度に第一目的地の出発から第二目的地の到着までの路面走行距離を掛けて予定宅配走行時間を計算し、指令センターのホストコンピュータが提示した予定走行可能速度に第二目的地の出発から第三目的地の到着までの路面走行距離を掛けて予定宅配走行時間を計算し、この計算を繰り返して全未宅配現金と全現金宅配車の宅配計画を計算し、指令センターのホストコンピュータが宅配者の休憩の時間を加え、手持ち金が不足すると現金宅配ができなくなるので、指令センターのホストコンピュータが各宅配車の手持ち金を計算し、全未宅配現金及び全現金宅配車の数多くある組み合わせの現金宅配計画の中から最も宅配効率の良い新しい宅配計画を指令センターのホストコンピュータが作製し、指令センターのホストコンピュータが随時作製した新しく最も宅配効率の良い宅配計画を無線通信機を利用して全現金宅配車の指令センターのホストコンピュータの端末機に瞬時に指令する、以上のことを特徴とする現金宅配システム。
【発明の詳細な説明】
【０００１】
【発明の属する技術分野】
現金宅配システムの技術。
【０００２】
【従来の技術】
ない。
【０００３】
【発明が解決しようとする課題】
高齢者が多くなり、金融機関に現金をおろしに行く事は大変な労力と危険がともなうので、なるべく人件費などの費用をかけずに高齢者等に現金宅配をする。
【０００４】
【課題を解決するための手段】
ＧＰＳと無線通信機を利用して随時全現金宅配車の位置を指令センターのホストコンピュータに自動入力し、指令センターのホストコンピュータがＧＰＳと無線通信機を利用して、最も宅配効率の良い宅配計画を全現金宅配車のコンピュータの端末に指令する。
【０００５】
【発明の実施の形態】
全現金宅配車にＧＰＳ受信機、無線通信機、指令センターのホストコンピュータの端末機を取り付け、全現金宅配車に取り付けた無線通信機と通信できる無線通信機を指令センターのホストコンピュータに取り付け、ＧＰＳ衛星、ＧＰＳ受信機及び無線通信機を利用して随時現金宅配中の全現金宅配車の走行記録を天気、日時、曜日、祝祭日及び祝祭日前日の条件別に走行可能速度を指令センターのホストコンピュータに路線別に常時自動入力し、指令センターのホストコンピュータと気象情報配信機関のコンピュータ及び交通情報配信機関のコンピュータを接続して、気象情報配信機関のコンピュータより指令センターのホストコンピュータが気象情報を入力し、交通情報配信機関のコンピュータより指令センターのホストコンピュータが交通情報を入力し、指令センターのホストコンピュータが過去の現金宅配車の走行記録、気象情報及び交通情報より条件に合う予定走行可能速度を提示し、指令センターのホストコンピュータが提示した予定走行可能速度に現金宅配車の現在地から宅配先までの路面走行距離を掛けて予定宅配走行時間を計算し、指令センターのホストコンピュータが全現金宅配車の中から最も早く現金宅配できる現金宅配車を選び出し、指令センターのホストコンピュータが選び出した現金宅配車のホストコンピュータの端末機に宅配指令する。
【０００６】
【実施例】
図１のように、全現金宅配車Ｅ，Ｆ，ＧにＧＰＳ受信機及び無線通信機及び指令センターＨのホストコンピュータの端末機を取り付け、全現金宅配車Ｅ，Ｆ，Ｇに取り付けた無線通信機と通信できる無線通信機を指令センターＨのホストコンピュータに取り付け、ＧＰＳ衛星Ａ，Ｂ，Ｃ，Ｄ及びＧＰＳ受信機及び無線通信機を利用して随時現金宅配中の全現金宅配車Ｅ，Ｆ，Ｇの走行記録を天気及び日時及び曜日及び祝祭日及び祝祭日前日の条件別に走行可能速度を指令センターＨのホストコンピュータに路線別に常時自動入力し、指令センターＨのホストコンピュータと気象情報配信機関のコンピュータ及び交通情報配信機関のコンピュータを接続して、気象情報配信機関のコンピュータより指令センターＨのホストコンピュータが気象情報を入力し、交通情報配信機関のコンピュータより指令センターＨのホストコンピュータが交通情報を入力し、指令センターＨのホストコンピュータが過去の現金宅配車の走行記録と気象情報及び交通情報より条件に合う予定走行可能速度を提示し、指令センターＨのホストコンピュータが提示した予定走行可能速度に現金宅配車の現在地から宅配先までの路面走行距離を掛けて予定宅配走行時間を計算し、指令センターＨのホストコンピュータが全未宅配現金の宅配先Ｊ，Ｋ，Ｌ，Ｍ，Ｎ，Ｐ，Ｑ，Ｒ及び宅配中の全現金宅配車Ｅ，Ｆ，Ｇの位置を確認し、指令センターＨのホストコンピュータが提示した予定走行可能速度に現金宅配車の現在地から第一目的地の到着までの路面走行距離を掛けて予定宅配走行時間を計算し、指令センターＨのホストコンピュータが提示した予定走行可能速度に第一目的地の出発から第二目的地の到着までの路面走行距離を掛けて予定宅配走行時間を計算し、指令センターＨのホストコンピュータが提示した予定走行可能速度に第二目的地の出発から第三目的地の到着までの路面走行距離を掛けて予定宅配走行時間を計算し、この計算を繰り返して全未宅配現金の宅配先Ｊ，Ｋ，Ｌ，Ｍ，Ｎ，Ｐ，Ｑ，Ｒと全現金宅配車Ｅ，Ｆ，Ｇの宅配計画を計算し、指令センターＨのホストコンピュータが宅配者の休憩の時間を加え、手持ち金が不足すると現金宅配ができなくなるので、指令センターのホストコンピュータが各宅配車の手持ち金を計算し、全未宅配現金の宅配先Ｊ，Ｋ，Ｌ，Ｍ，Ｎ，Ｐ，Ｑ，Ｒ及び全現金宅配車Ｅ，Ｆ，Ｇの数多くある組み合わせの現金宅配計画の中から最も宅配効率の良い新しい宅配計画を指令センターＨのホストコンピュータが作製し、指令センターＨのホストコンピュータが随時作製した新しく最も宅配効率の良い宅配計画を無線通信機を利用して全現金宅配車Ｅ，Ｆ，Ｇの指令センターＨのホストコンピュータの端末機に瞬時に指令する、以上のことを特徴とする現金宅配システム。
【０００７】
【発明の効果】
なるべく人件費などの費用をかけず高齢者等が安全に楽に現金宅配サービスを受けられる。
【図面の簡単な説明】
【図１】
指令センター、ＧＰＳ衛星、現金宅配車及び現金宅配の宅配先の図。
【符号の説明】
Ａ，Ｂ，Ｃ，Ｄ　　　ＧＰＳ衛星
Ｅ，Ｆ，Ｇ　　　　　現金宅配車
Ｈ　　　　　　　　　指令センター
Ｊ，Ｋ，Ｌ，Ｍ，Ｎ，Ｐ，Ｑ，Ｒ　　現金宅配の宅配先
【図１】
2004021961.tif 000003
【手続補正書】
【提出日】平成14年11月1日(2002.11.1)
【手続補正１】
【補正対象書類名】明細書
【補正対象項目名】特許請求の範囲
【補正方法】変更
【補正の内容】
【特許請求の範囲】
【請求項１】
全現金宅配車にＧＰＳ受信機及び無線通信機及び指令センターのホストコンピュータの端末機を取り付け、全現金宅配車に取り付けた無線通信機と通信できる無線通信機を指令センターのホストコンピュータに取り付け、ＧＰＳ衛星及びＧＰＳ受信機及び無線通信機を利用して随時現金宅配中の全現金宅配車の走行記録を天気及び日時及び曜日及び祝祭日及び祝祭日前日の条件別に走行可能速度を指令センターのホストコンピュータに路線別に常時自動入力し、指令センターのホストコンピュータと気象情報配信機関のコンピュータ及び交通情報配信機関のコンピュータを接続して、気象情報配信機関のコンピュータより指令センターのホストコンピュータが気象情報を入力し、交通情報配信機関のコンピュータより指令センターのホストコンピュータが交通情報を入力し、指令センターのホストコンピュータが過去の現金宅配車の走行記録と気象情報及び交通情報より条件に合う予定走行可能速度を提示し、指令センターのホストコンピュータが提示した予定走行可能速度に現金宅配車の現在地から宅配先までの路面走行距離を掛けて予定宅配走行時間を計算し、指令センターのホストコンピュータが全未宅配現金の宅配先及び宅配中の全現金宅配車の位置を確認し、指令センターのホストコンピュータが提示した予定走行可能速度に現金宅配車の現在地から第一目的地の到着までの路面走行距離を掛けて予定宅配走行時間を計算し、指令センターのホストコンピュータが提示した予定走行可能速度に第一目的地の出発から第二目的地の到着までの路面走行距離を掛けて予定宅配走行時間を計算し、指令センターのホストコンピュータが提示した予定走行可能速度に第二目的地の出発から第三目的地の到着までの路面走行距離を掛けて予定宅配走行時間を計算し、この計算を繰り返して、指令センターのホストコンピュータが随時作製した新しく最も宅配効率の良い宅配計画を無線通信機を利用して全現金宅配車の指令センターのホストコンピュータの端末機に瞬時に指令する、以上のことを特徴とする現金宅配システム。